(57)【要約】【課題】  カバー本体を上方位置に引き上げて取り付けることにより日除けとして使用でき、また下方位置に下ろして取り付けることによりガードカバーとして使用できるようにした日除け兼ガードカバーを提供することを課題とする。【解決手段】  使用個所の周りに立てる複数本のポール３、３、３・・・と、各ポール３の上方位置に引き上げて取り付けることにより日除けとして機能する状態及び下方位置に下ろして取り付けることによりガードカバーとして機能する状態で前記ポール３に支持されるカバー本体４とを備えており、ポール３はポール３に沿って移動する昇降部材１５を備え、ポール３の上端個所と昇降部材１５には同昇降部材１５を上方位置に固定する係止部が設けられ、且つ該昇降部材１５には前記カバー本体４の外縁が繋留され、前記ポール３は、オモリ体５に立ち状態に支持しうるようにされたことを特徴とする。【選択図】  図１
2007077676.tif 000002
【特許請求の範囲】
【請求項１】
使用個所の周りに立てる複数本のポールと、該ポールの上方位置に引き上げて取り付けることにより日除けとして機能する状態及び下方位置に下ろして取り付けることによりガードカバーとして機能する状態で前記ポールに支持されるカバー本体とを備えたことを特徴とする日除け兼ガードカバー。
【請求項２】
カバー本体はメッシュで形成され、複数の風抜き用スリットが配設されたことを特徴とする請求項１記載の日除け兼ガードカバー。
【請求項３】
前記ポールは、該ポールに沿って移動する昇降部材を備え、該ポールの上端個所と昇降部材には同昇降部材を上方位置に固定する係止部が設けられ、且つ該昇降部材には前記カバー本体の外縁が繋留されたことを特徴とする請求項１記載の日除け兼ガードカバー。
【請求項４】
前記カバー本体にはポールの上端部に滑車を介してかけてからポールの下部に達して余る長さのロープが連結され、該ロープの先端寄り個所とポールの下部にはカバー本体を日除けとして機能する位置に繋留するための係止部が設けられ、また同ロープの連結端寄り個所とポールの下部にはカバー本体をガードカバーとして機能する位置に繋留するための係止部が設けられたことを特徴とする請求項１記載の日除け兼ガードカバー。
【請求項５】
前記ポールは、オモリ体に立ち状態に支持しうるようにされたことを特徴とする請求項１、３又は４記載の日除け兼ガードカバー。
【請求項６】
前記オモリ体は、該オモリ体を前記使用個所に固定するための固定装置を備えたことを特徴とする請求項５記載の日除け兼ガードカバー。
【発明の詳細な説明】
【技術分野】
【０００１】
本発明は、幼稚園などの子供用施設で使用する日除け兼ガードカバーに関する。具体的には、カバー本体を上方位置に取り付けて日除けとして、また下方位置に取り付けてガードカバーとして任意に択一に選択して使用できるようにした日除け兼ガードカバーに関する。
【背景技術】
【０００２】
幼稚園、保育所などの子供用施設の砂場、プール等にあって子供らが、犬，猫等動物類の排泄物や吹き溜まるごみ等に起因する衛生的被害を受けている事実が問題になっている。そこで、従前、該問題を解決するものとして、砂場、プールの上をたとえば外周にオモリをつけたシートやネットで覆う形式のガードカバーが提供されている。
【０００３】
一方、前記子供用施設の砂場、プール等では、直射日光や紫外線を避けるために折り畳み式のテント（特許文献１参照）が使用されている。
【０００４】
しかしながら、現在、前記ガードカバーの役目及び折り畳み式テントの役目を一品で兼ね果たす、構造が簡略で組立が容易な形式の日除け兼ガードカバーは見当らない。
【０００５】
そこで、本発明者は、日除け兼ガードカバーの提供をテーマに研究・開発を行っていたところ、本発明に係る日除け兼ガードカバーを案出するに至ったものである。
【０００６】
【特許文献１】特開２００２−２０１８２３号公報
【発明の開示】
【発明が解決しようとする課題】
【０００７】
本発明のうち請求項１に係る日除け兼ガードカバーは、カバー本体を張り状態のまま上方位置に引き上げて取り付けることにより日除けとして使用でき、また張り状態のまま下方位置に下ろして取り付けることによりガードカバーとして使用、つまり兼用できるようにした、新規の日除け兼ガードカバーを提供することを課題とする。
【０００８】
本発明のうち請求項２に係る日除け兼ガードカバーは、前記課題に加えて日除けとしての機能を生かしつつ風に煽られてカバーが飛翔するおそれがなく、暑季に涼風を呼ぶことができるようにすることを課題とする。
【０００９】
本発明のうち請求項３又は４に係る日除け兼ガードカバーは、前記課題に加えて、極めて簡単な手段で、カバー本体を日除け機能発揮状態及びガードカバー機能発揮状態に変容できるようにすることを課題とする。また同時に構成の簡略化及びコストの低減化を達成することを課題とする。
【００１０】
本発明のうち請求項５に係る日除け兼ガードカバーは、前記課題に加えて、簡易な構成でポールの起立状態を確保でき、しかも不要時に容易に移動できるようにすることを課題とする。
【００１１】
本発明のうち請求項６に係る日除け兼ガードカバーは、前記課題に加えて、風による煽り、その他の外力が加わってもより確実に起立保持できるようにすることを課題とする。
【課題を解決するための手段】
【００１２】
前記課題を達成するために、請求項１に係る日除け兼ガードカバーは、使用個所の周りに立てる複数本のポールと、該ポールの上方位置に引き上げて取り付けることにより日除けとして機能する状態及び下方位置に下ろして取り付けることによりガードカバーとして機能する状態で前記ポールに支持されるカバー本体とを備えたことを特徴とする。
【００１３】
請求項２に係る日除け兼ガードカバーは請求項１の記載の日除け兼ガードカバーに関し、カバー本体はメッシュで形成され、複数の風抜き用スリットが配設されたことを特徴とする。
【００１４】
また、請求項３に係る日除け兼ガードカバーは、請求項１記載の日除け兼ガードカバーに関し、前記ポールは、該ポールに沿って移動する昇降部材を備え、該ポールの上端個所と昇降部材には同昇降部材を上方位置に固定する係止部が設けられ、且つ該昇降部材には前記カバー本体の外縁が繋留されたことを特徴とする。
【００１５】
また、請求項４に係る日除け兼ガードカバーは、請求項１記載の日除け兼ガードカバーに関し、前記カバー本体にはポールの上端部に滑車を介してかけてからポールの下部に達して余る長さのロープが連結され、該ロープの先端寄り個所とポールの下部にはカバー本体を日除けとして機能する位置に繋留するための係止部が設けられ、また同ロープの連結端寄り個所とポールの下部にはカバー本体をガードカバーとして機能する位置に繋留するための係止部が設けられたことを特徴とする。
【００１６】
また、請求項５に係る日除け兼ガードカバーは、請求項１、３又は４記載の日除け兼ガードカバーに関し、前記ポールは、オモリ体に立ち状態に支持しうるようにされたことを特徴とする。
【００１７】
さらに、請求項６に係る日除け兼ガードカバーは、請求項５記載の日除け兼ガードカバーに関し、前記オモリ体は、該オモリ体を前記使用個所に固定するための固定装置を備えたことを特徴とする。
【発明の効果】
【００１８】
本発明のうち請求項１に係る日除け兼ガードカバーは、カバー本体を張り状態のまま上方位置に引き上げて取り付けることにより日除けとして使用でき、また張り状態のまま下方位置に下ろして取り付けることによりガードカバーとして使用でき、つまり兼用できる。
【００１９】
本発明のうち請求項２に係る日除け兼ガードカバーは前記効果に加えて、日除けとしての機能を生かしつつ風に煽られてカバーが飛翔するおそれがなく、暑季に涼風を呼ぶことができる。
【００２０】
また、請求項３に係る日除け兼ガードカバーは、前記請求項１の効果に加えて、昇降部材の取り付け位置を択一的に選択して取り付けるという極めて簡単な手段で、カバー本体を日除け機能発揮状態及びガードカバー機能発揮状態に変容できる。また、この場合にあってポールは、前記日除け機能状態のカバー本体及びガードカバー機能状態のカバー本体の支え役及び変容時の昇降部材の案内役を果たすことができる。結果として構成の簡略化及びコストの低減化ができる。しかも日除けカバーとガードカバーを別々に用意し、各々保管するような煩瑣さがない利点がある。
【００２１】
また、請求項４に係る日除け兼ガードカバーは、前記請求項１の効果に加えて、利用者の手の届かないような高い位置に日除けとして容易、かつ迅速にカバー本体を張設することができ、ポールの下部に対するロープの係止位置を選択するという極めて簡単な手段で、カバー本体を日除け機能発揮状態及びガードカバー機能発揮状態に変容できる。また、この場合にあってロープは、一本で前記日除け機能状態のカバー本体及びガードカバー機能状態のカバー本体の支え役を果たすことができる。結果として構成の簡略化及びコストの低減化ができる。しかも請求項３に係る日除け兼ガードカバー同様、日除けカバーとガードカバーを別々に用意し、各々保管するような煩瑣さがない利点がある。さらに、ロープの先端の余り部分は後述するように次回の握り持ち部として利用でき、利用者の背丈の足りない分を補うことができる。
【００２２】
また、請求項５に係る日除け兼ガードカバーは、前記請求項１、３又は４の効果に加えて、簡易な構成でポールの起立状態を容易に確保でき、しかも不要時に容易に移動できる。
【００２３】
本発明のうち請求項６に係る日除け兼ガードカバーは、前記請求項１の効果に加えて、風による煽り、その他の外力が加わってもより確実に起立保持できる。
【発明を実施するための最良の形態】
【００２４】
先ず、本発明に係る第１の実施の形態を図１〜図４に基づいて説明する。なお、図１〜図４は、本発明に係る第１実施の形態を示す。また、図１は砂場２に使用した状態で示す全体の斜視図である。図２は同じくポール部分の拡大斜視図である。図３は上位用係止部を示す拡大斜視図である。図４は下位用係止部を示す拡大斜視図である。
【００２５】
この第１実施の形態に係る日除け兼ガードカバー１は、砂場２の周りに立てる多数本のポール３と、張り状態のまま上方位置に引き上げて固定することにより日除けとして機能する状態及び張り状態のまま下方位置に下ろして固定することによりガードカバーとして機能する状態で前記ポール３に支持されたカバー本体４とにより構成されている。
【００２６】
前記各ポール３は、砂場２の外周に配置したオモリ体５に立設して用いるようにしてある。したがって、各ポール３の位置決め、位置調節はオモリ体５を任意に移動することで容易にでき、使い勝手がよい。
【００２７】
前記オモリ体５は、垂直な面取り状の垂直壁面６が４隅に設けられた中空のプラスチック製容器７に、該容器７の頂壁に設けられたキャップ付き注排水口８から水（図示せず）を収容することによりオモリ機能を果たすようにされ、該水を捨てて軽くすることにより可搬しうるようにしてあるものである。
【００２８】
前記オモリ体５は、前記容器７の頂壁の中央個所に深い筒状縦孔１０が設けられ、該筒状縦孔１０に前記ポール３の下端部を抜き挿し可能に挿し立てて該ポール３を起立状態に維持する。なお、該維持は、ここでは詳述しないが、前記筒状縦孔１０の開口に金属製口金１１を設けると共に前記筒状縦孔１０とポール３の下端部をバヨネット（図示せず）により固定することで、不用意に揺れたり抜けたりしない確固たるものにされている。もちろん、必要があるときには容器７とポール３とは、分離しうるようにされてある。このように分離形式にした場合には、搬送、格納等が容易になって好都合である。
【００２９】
また、前記オモリ体５は、前記垂直壁面６の外面に前記砂場２の外周に位置する地面に固定するための固定装置１２を有し、これを利用して固定しうるようにされている。この固定装置１２は螺子（図示せず）止めのＬ型金具１３からなる。このＬ型金具１３は通常アンカー（図示せず）により打ち止める。なお、該固定装置１２は、他のものであってもよく、また、前記オモリ体５の重量だけで充分である場合には、固定装置１２すなわちＬ型金具１３は省略できる。
【００３０】
前記各ポール３は、該ポール３に沿って移動する昇降部材１５と、前記ポール３の上端個所及び下端個所と前記昇降部材１５に設けられた同昇降部材１５を上方位置に固定する上位用係止部１６及び下方位置に固定する下位用係止部１７とを備えている。
【００３１】
前記昇降部材１５は、ポール３の直径よりやや大きい内径の金属リング１８で、その外周には前記カバー本体４の繋留環１９と前記上位用係止部１６の構成要素として機能する上側係止環２０とが設けられている。
【００３２】
また、上位用係止部１６は、前記ポールの上端部に設けられた固定リング２１と、前記上側係止環２０と、これら上側係止環２０に連結された外れ阻止用バネ部材２２付きカラビナ２３から構成されている。なお、該カラビナ２３は上側係止環２０に繋がれ通常は外さないようにされている。つまり、前記昇降部材１５は、カラビナ２３が固定リング２１から外された状態にあるときにポール３に沿って昇降できる。
【００３３】
また、下位用係止部１７は、前記口金１１に設けられた鉤型フック２４に前記カラビナ２３を係止させたときに係止機能を果たすようにされている。
【００３４】
前記上位用係止部１６、下位用係止部１７は、前記カラビナ２３利用の構成にこだわる必要はなく、着脱自在若しくは繋いだり、解いたりできるものであればよく、他のものであってもよい。
【００３５】
さらに、前記カバー本体４は、その外周辺に多数個の鳩目部材２５をバランスよく取り付けて該鳩目部材２５に繋留紐２６を連結すると共に各繋留紐２６の先端を前記繋留環１８に結着することで張設されている。
【００３６】
なお、前記カバー本体４は、ポリエステル（塩化ビニールコーティング）製で、遮光率７５％のメッシュのものであり、サイズは５ｍ×７ｍで、適宜個所には風抜き（突風逃げ）用スリット２９が設けられている。したがって、該カバー本体４は、風に煽られて飛ばされず、涼しく、風通しがよい。また、このカバー本体４は、UVカット加工を施してあるメッシュ製であることが好ましい。
【００３７】
すなわち、上記実施の形態に係る日除け兼ガードカバーは、これを搬送若しくは格納する場合には、カバー本体、ポール、オモリ体に分割することができ、また最初の組み立て、再組み立ての場合には、ポールをオモリ体に差し立てて固定してから昇降部材１５にカバー本体を結わえ付ける若しくはカバー本体にロープを結わえ付ける要領で行うことができ、また前記組立の要領を逆の順に行って分解できるようにしてあるものであり、組立、分解が簡単にできる。
【００３８】
次に、本発明に係る第２の実施の形態を図５〜図８に基づいて説明する。なお、図５はプール３０に使用した状態で示す全体の斜視図である。図６は同じくポール部分の拡大斜視図である。図７はカバー本体を日除け機能位置にした状態で示す要部の拡大斜視図である。図８はカバー本体をガードカバー機能位置にした状態で示す要部の拡大斜視図である。
【００３９】
この第２実施の形態に係る日除け兼ガードカバー３１は、滑車３２及びロープ３３等を利用することにより、利用者の手の届かないような高い位置でもカバー本体４を容易かつ迅速に日除け機能位置にしたりガードカバー機能位置にしたりするように構成されたものである。
【００４０】
なお、該第２実施の形態に係る日除け兼ガードカバー３１は、滑車３２及びロープ３３を利用した点が前記第１実施の形態に係る日除け兼ガードカバー１と異なり、その他は概ね同様であるので、同じ部位には上記第１実施の形態に係る日除け兼ガードカバー１と同じ符号を付し、詳細な説明は省略する。
【００４１】
すなわち、この第２実施の形態に係る日除け兼ガードカバー３１は、前記カバー本体４にはポール３の上端部に滑車３２を介してかけてからポール３の下部に達して余る長さのロープ３３が連結され、該ロープ３３の先端寄り個所とポール３の下部にはカバー本体４を日除けとして機能する位置に繋留するための上位用係止部３４が設けられ、また同ロープ３３の連結端寄り個所とポール３の下部にはカバー本体４をガードカバーとして機能する位置に繋留するための下位用係止部３５が設けられたものである。
【００４２】
前記ロープ３３は、ロープ本体３６とその連結端側にカラビナ３７を介して分離可能に連結された短尺ロープ部３８により構成され、該ロープ本体３６はポール３の上端部に滑車３２を介してかけられている。
【００４３】
前記上位用係止部３４は、前記第１実施の形態に係る日除け兼ガードカバー１の鉤型フック２４と同様にして設けられた鉤型フック３９に対してロープ本体３６の先端寄り個所に形成された結び環４０を係止させたときに係止機能を果たすようにされている。
【００４４】
また、前記下位用係止部３５は、前記鉤型フック３９に対して前記短尺ロープ部３７に連結されたカラビナ３７を係止させたときに係止機能を果たすようにされている。
【００４５】
前記上位用係止部３４及び前記下位用係止部３５は、鉤型フック３９を兼用するようにしてあるが別々に設けることは任意であり、またカラビナ３７の代わりに結び環を設けてもよく、カラビナ３７を設けずに後述する余剰端部４１を利用して結び止めるようにしてもよい。さらに、ロープ本体３６において結び環４０は、滑車３２に引っ掛かってロープ本体３６の抜け外れ阻止機能を果たすようにしてあり、該結び環４０が滑車３２に引っ掛かってできる余剰端部４１（図８参照）は、次回の握り持ち部として利用しうるようにしてあり、利用者の背丈の足りない分を補い、脚立等を使用せずにロープを操作できるようにしてある。
【図面の簡単な説明】
【００４６】
【図１】第１実施の形態に係る日除け兼ガードカバーの使用状態を示す斜視図である。
【図２】同じくポール部分の拡大斜視図である。
【図３】上位用係止部を示す拡大斜視図である。
【図４】下位用係止部を示す拡大斜視図である。
【図５】第２実施の形態に係る日除け兼ガードカバーの使用状態を示す斜視図である。
【図６】同じくポール部分の拡大斜視図である。
【図７】日除け機能状態を示す要部の拡大斜視図である。
【図８】ガードカバー機能状態を示す要部の拡大斜視図である。
【符号の説明】
【００４７】
１、３１  日除け兼ガードカバー
３  ポール
４  カバー本体
５  オモリ体
１２  固定装置
１５  昇降部材
１６、３４  上位用係止部
１７、３５  下位用係止部
２０  上側係止環
２９  風抜き用スリット
３２  滑車
３３  ロープ
【図１】
2007077676.tif 000003
【図２】
2007077676.tif 000004
【図３】
2007077676.tif 000005
【図４】
2007077676.tif 000006
【図５】
2007077676.tif 000007
【図６】
2007077676.tif 000008
【図７】
2007077676.tif 000009
【図８】
2007077676.tif 000010